(57)【特許請求の範囲】
【請求項１】
鉛直に指向した短冊状のチャックパドルが同一仮想円筒上に複数互いに円周方向に間隔を存して配列され、該仮想円筒の径が拡大縮小するように複数の前記チャックパドルが同時に移動し、生タイヤのビード部を内側から拡径して把持するタイヤ把持装置と、
加硫金型の中央にあって筒状をなし伸縮性を有する加硫ブラダの筒状の一端開口端が下部リングにより保持され、他端開口端が閉塞されて上部リングにより保持されて前記下部リングの上方で上下に昇降可能とし、前記加硫ブラダの内側にシェーピングガスが送給されるブラダ作動装置とを備え、
前記タイヤ把持装置が、前記チャックパドルによりビード部を把持して保持した生タイヤを、上方に延びて円筒状をなす前記加硫ブラダの外周囲に配置し、前記ブラダ作動装置が、前記上部リングを下降すると同時に前記加硫ブラダの内側にシェーピングガスを送給して前記加硫ブラダを膨張し生タイヤの内面に圧接させて生タイヤを加硫金型に装着するタイヤ装着機構において、
前記チャックパドルの下部に円周方向両側にガイド片が延出して形成され、
隣合う前記チャックパドルの間に互いの方に向かって延出したガイド片は、互いに常に重なり合うことを特徴とするタイヤ装着機構。
【請求項２】
前記チャックパドルから円周方向両側に延出する前記ガイド片は、共に同じ所定の曲率半径の円弧を形成し、
前記ガイド片が形成する円弧の曲率半径と略等しい半径の仮想円筒上に位置させた前記チャックパドルが把持する生タイヤが、前記タイヤ把持装置が把持する最大のリム径を有する生タイヤであることを特徴とする請求項１記載のタイヤ装着機構。
【請求項３】
前記チャックパドルから円周方向一側に延出するガイド片は、円周方向一側で隣合う前記チャックパドルから円周方向他側に延出するガイド片と中心側で重なり合うことを特徴とする請求項２記載のタイヤ装着機構。
【請求項４】
前記チャックパドルが仮想円筒の径方向に移動することで、複数の前記チャックパドルが形成する仮想円筒の外径が拡大縮小され、
前記ガイド片は弾性変形することを特徴とする請求項２または請求項３記載のタイヤ装着機構。
【請求項５】
前記ガイド片の内周面が複数の前記チャックパドルの配置される仮想円筒の中心軸に向いたときの前記チャックパドルの姿勢を基本姿勢として、
前記チャックパドルを基本姿勢に戻そうとする付勢手段を備え、
前記付勢手段の付勢力により、重なり合う前記ガイド片のうち中心側となる前記ガイド片の端部が遠心側となる前記ガイド片に常に接しながら前記チャックパドルが移動することを特徴とする請求項３記載のタイヤ装着機構。
【請求項６】
前記付勢手段は、複数の前記チャックパドルを外側から締め付ける環状弾性部材であり、
前記環状弾性部材は、前記チャックパドルの移動に合わせて径を拡大縮小しながら各前記チャックパドルに常に基本姿勢に戻そうとする付勢力を作用させることを特徴とする請求項５記載のタイヤ装着機構。
【発明の詳細な説明】
【技術分野】
【０００１】
本発明は、生タイヤを加硫金型に装着する機構に関する。
【背景技術】
【０００２】
加硫ブラダを使用して加硫成型する加硫金型に生タイヤを装着する場合、一般に生タイヤのビード部を内側から把持して生タイヤを保持して加硫金型まで搬送し、加硫ブラダの外周囲に生タイヤを配置し、加硫ブラダを膨張させて生タイヤの内面に圧接して装着する。
【０００３】
ビード部が形成するリム径の異なる各種生タイヤに適用できるようにするために、生タイヤのビード部を内側から把持する把持手段が、外径を拡大縮小することができるようにした例がある（例えば、特許文献１参照）。
【先行技術文献】
【特許文献】
【０００４】
【特許文献１】特開昭５３−０４６３８３号公報
【０００５】
特許文献１に開示された把持手段であるチャック装置は、円周の周方向に等間隔に配列される複数個の同形のセグメント（チャックパドルに相当）が、径方向に同時に移動できるようにしており、リム径の異なる生タイヤでも、複数個のセグメントが径を拡大縮小してリム径の異なるビード部を内側から把持できるようにしたものである。
【０００６】
セグメントの下端にはリップ（係止爪に相当）を有し、このリップを有する下端部が生タイヤのビード部を内側から把持して生タイヤを保持して加硫金型まで搬送し、加硫ブラダの外周囲に生タイヤを配置する。
【０００７】
そして、生タイヤの中央を上方に貫挿された円筒状をした加硫ブラダは、上端が下降されると同時に、内部に圧力蒸気が送給されることで、生タイヤの内側に入り込むように外周方向に膨張して生タイヤの内面に圧接されることで、生タイヤが加硫金型に装着される。
このように加硫ブラダが内面に圧接された生タイヤの外面を覆うように金型が合体して加硫成型がなされる。
【発明の概要】
【発明が解決しようとする課題】
【０００８】
加硫ブラダが上端を下降しながら膨張するときに、セグメントが把持する生タイヤのビード部の内周面に摺接しながら加硫ブラダが生タイヤの内側に入り込んでいく。
特許文献１のチャック装置では、隣合うセグメントの互いの間は、間隔が空いているので、複数のセグメントが生タイヤのビード部を内側から把持した状態で、ビード部の内周面は、セグメントの下端部により隠れる部分と露出する部分が交互に存在するため、加硫ブラダが膨張してビード部の内周面に沿って生タイヤの内側に入り込むときに、隣合うセグメント間にはみ出して、ビード部のセグメントによって隠されずに露出した部分の強度の弱い未加硫ゴムを擦り剥ぎ取ってしまう不具合が生じていた。
【０００９】
本発明は、かかる点に鑑みなされたもので、その目的とする処は、膨張する加硫ブラダが生タイヤのビード部の内周面に接触せずゴムを剥ぎ取る不具合を回避したタイヤ装着機構を供する点にある。
【課題を解決するための手段】
【００１０】
上記目的を達成するために、請求項１記載の発明は、
鉛直に指向した短冊状のチャックパドルが同一仮想円筒上に複数互いに円周方向に間隔を存して配列され、該仮想円筒の径が拡大縮小するように複数の前記チャックパドルが同時に移動し、生タイヤのビード部を内側から拡径して把持するタイヤ把持装置と、
加硫金型の中央にあって筒状をなし伸縮性を有する加硫ブラダの筒状の一端開口端が下部リングにより保持され、他端開口端が閉塞されて上部リングにより保持されて前記下部リングの上方で上下に昇降可能とし、前記加硫ブラダの内側にシェーピングガスが送給されるブラダ作動装置とを備え、
前記タイヤ把持装置が、前記チャックパドルによりビード部を把持して保持した生タイヤを、上方に延びて円筒状をなす前記加硫ブラダの外周囲に配置し、前記ブラダ作動装置が、前記上部リングを下降すると同時に前記加硫ブラダの内側にシェーピングガスを送給して前記加硫ブラダを膨張し生タイヤの内面に圧接させて生タイヤを加硫金型に装着するタイヤ装着機構において、
前記チャックパドルの下部に円周方向両側にガイド片が延出して形成され、
隣合う前記チャックパドルの間に互いの方に向かって延出したガイド片は、互いに常に重なり合うことを特徴とするタイヤ装着機構である。
【００１１】
請求項２記載の発明は、
請求項１記載のタイヤ装着機構において、
前記チャックパドルから円周方向両側に延出する前記ガイド片は、共に同じ所定の曲率半径の円弧を形成し、
前記ガイド片が形成する円弧の曲率半径と略等しい半径の仮想円筒上に位置させた前記チャックパドルが把持する生タイヤが、前記タイヤ把持装置が把持する最大のリム径を有する生タイヤであることを特徴とする。
【００１２】
請求項３記載の発明は、
請求項２記載のタイヤ装着機構において、
前記チャックパドルから円周方向一側に延出するガイド片は、円周方向一側で隣合う前記チャックパドルから円周方向他側に延出するガイド片と中心側で重なり合うことを特徴とする。
【００１３】
請求項４記載の発明は、
請求項２または請求項３記載のタイヤ装着機構において、
前記チャックパドルが仮想円筒の径方向に移動することで、複数の前記チャックパドルが形成する仮想円筒の外径が拡大縮小され、
前記ガイド片は弾性変形することを特徴とする。
【００１４】
請求項５記載の発明は、
請求項３記載のタイヤ装着機構において、
前記ガイド片の内周面が複数の前記チャックパドルの配置される仮想円筒の中心軸に向いたときの前記チャックパドルの姿勢を基本姿勢として、
前記チャックパドルを基本姿勢に戻そうとする付勢手段を備え、
前記付勢手段の付勢力により、重なり合う前記ガイド片のうち中心側となる前記ガイド片の端部が遠心側となる前記ガイド片に常に接しながら前記チャックパドルが移動することを特徴とする。
【００１５】
請求項６記載の発明は、
請求項５記載のタイヤ装着機構において、
前記付勢手段は、複数の前記チャックパドルを外側から締め付ける環状弾性部材であり、
前記環状弾性部材は、前記チャックパドルの移動に合わせて径を拡大縮小しながら各前記チャックパドルに常に基本姿勢に戻そうとする付勢力を作用させることを特徴とする。
【発明の効果】
【００１６】
請求項１記載のタイヤ装着機構によれば、チャックパドルの下部に円周方向両側にガイド片が延出して形成され、隣合うチャックパドルの間に互いの方に向かって延出したガイド片は、互いに常に重なり合うので、チャックパドルが生タイヤのビード部を内側から拡径して把持したとき、ビード部の内周面はチャックパドルおよびチャックパドル間は重なり合ったガイド片により全周が隠されて露出した部分がないため、膨張する加硫ブラダがガイド片に案内されて変形し生タイヤのビード部の内周面に接触することなく、加硫ブラダがゴムを剥ぎ取る不具合を回避することができる。
【００１７】
請求項２記載のタイヤ装着機構によれば、ガイド片が形成する円弧の曲率半径と略等しい半径の仮想円筒上に位置させたチャックパドルが把持する生タイヤを、タイヤ把持装置の把持する最大のリム径を有する生タイヤとすることで、この最大リム径より小さい各種リム径の生タイヤに該タイヤ装着機構を適用することができる。
もし、この最大リム径より大きいリム径の生タイヤに適用しようとすると、ガイド片が形成する円弧の曲率半径より大きい半径の仮想円筒上にチャックパドルを位置させたとき、重なり合うガイド片のうち中心側（内側）となるガイド片の端部が内側に突出することになり、このガイド片の内側に突出した端部が膨張する加硫ブラダを傷つける惧れがある。
【００１８】
請求項３記載のタイヤ装着機構によれば、チャックパドルから円周方向一側に延出するガイド片は、円周方向一側で隣合うチャックパドルから円周方向他側に延出するガイド片と中心側で重なり合うので、チャックパドルは全て仮想円筒上にあって同じ姿勢で配列することができ、同じ形状のものが使用でき、コストの低減を図ることができる。
【００１９】
請求項４記載のタイヤ装着機構によれば、チャックパドルが仮想円筒の径方向に移動することで、複数の前記チャックパドルが形成する仮想円筒の外径が拡大縮小され、ガイド片は弾性変形するので、チャックパドルは姿勢を変えずに径方向に移動する部品点数の少ない簡単な構造の移動機構としても、ガイド片は重なり合う相手方のガイド片に弾性変形しながら端部を常に接することができ、ガイド片の端部が中心側（内側）で突出することがなく、加硫ブラダを傷つけることを回避することができる。
よって、部品点数の少ない簡単な構造のタイヤ把持装置により不具合のないタイヤ装着機構を、低コストで実現できる。
【００２０】
請求項５記載のタイヤ装着機構によれば、ガイド片の内周面が複数の前記チャックパドルの配置される仮想円筒の中心軸に向いたときのチャックパドルの姿勢を基本姿勢として、チャックパドルを基本姿勢に戻そうとする付勢手段を備え、付勢手段の付勢力により、重なり合うガイド片のうち中心側となるガイド片の周方向先端部が遠心側となるガイド片に常に接しながらチャックパドルが移動するので、各種リム径の生タイヤに適用すべくチャックパドルを移動しても、付勢手段により重なり合うガイド片のうち中心側となるガイド片の周方向先端部が遠心側となるガイド片に常に接するため、ガイド片の周方向先端部が中心側（内側）で突出することがなく、加硫ブラダを傷つけることを回避することができる。
【００２１】
請求項６記載のタイヤ装着機構によれば、前記付勢手段は、複数のチャックパドルを外側から締め付ける環状弾性部材であり、環状弾性部材は、チャックパドルの移動に合わせて径を拡大縮小しながら各チャックパドルに常に基本姿勢に戻そうとする付勢力を作用させるので、少ない部品点数の簡単な構造で、環状弾性部材の付勢力により重なり合うガイド片のうち中心側となるガイド片の周方向先端部が遠心側となるガイド片に常に接するようにすることができ、ガイド片の周方向先端部が中心側（内側）で突出することがなく、加硫ブラダを傷つけることのない。
よって、部品点数の少ない簡単な構造な構造で、加硫ブラダを傷つけることのないタイヤ把持装置80を低コストで実現できる。
【図面の簡単な説明】
【００２２】
【図１】本発明の一実施の形態に係るタイヤ装着機構が用いられた加硫成型機全体の概略図である。
【図２】タイヤ把持装置の一部断面とした側面図である。
【図３】同タイヤ把持装置の上面図である。
【図４】同タイヤ把持装置の下面図である。
【図５】チャックパドルが最大径に拡径したときのタイヤ把持装置の下面図である。
【図６】チャックパドルが最大径以上に拡径した場合のチャックパドルとガイド片のみを示した部分下面図である。
【図７】タイヤ装着工程のうち生タイヤを加硫ブラダの外周囲に配置した工程のタイヤ装着機構の断面図である。
【図８】加硫ブラダを膨張させる工程のタイヤ装着機構の断面図である。
【図９】生タイヤを加硫成型機に装着した工程のタイヤ装着機構の断面図である。
【図１０】別の実施の形態のタイヤ把持装置を斜め上方から視た斜視図である。
【図１１】同タイヤ把持装置を斜め下方から視た斜視図である。
【図１２】チャックパドルが最大径に拡径したときと縮径したときのチャックパドルとガイド片のみを示した部分下面図である。
【発明を実施するための形態】
【００２３】
以下、本発明に係る一実施の形態について図１ないし図９に基づいて説明する。
図１は、本発明の一実施の形態に係るタイヤ装着機構が用いられた加硫成型機１の全体概略図である。
加硫成型機１は、円環状の下サイドモールド２と上サイドモールド３および周方向に複数分割され径方向に拡大縮小するトレッドモールド４が生タイヤＴを外側から覆い、加硫ブラダ５が生タイヤＴの内側に圧接して生タイヤを加硫成型するものである。
【００２４】
下サイドモールド２は、型面を上にして架台10の上に中空円板状の下プラテン11を介して支持される。
下サイドモールド２の中空開口端には下部ビードリング12が嵌合されている。
【００２５】
上サイドモールド３は、押圧支持手段15の伸縮するロッド20ｒの端部に取り付けられた円盤20に上プラテン21を介して支持される。
上サイドモールド３の中空開口端には上部ビードリング22が嵌合されている。
【００２６】
円盤20の周縁に突設された円筒壁23のテーパした内周面に沿って、周方向に複数分割されたモールド保持部材24が摺接し、このモールド保持部材24にトレッドモールド４が支持されている。
押圧支持手段15は、架台10の近傍の所定位置に起立された支持台16に揺動可能に設けられている。
図１は、架台10の上に支持された下サイドモールド２に対して、斜め上方に上サイドモールド３が型面を水平方向に向けた姿勢で保持された待機状態を示している。
【００２７】
下プラテン11の中央円開口に合わせて架台10に形成された円開口を貫通してブラダ作動装置30が設けられている。
加硫成型するとき以外は略円筒状をしたゴム製の伸縮性を有する加硫ブラダ５を、ブラダ作動装置30が作動する。
【００２８】
図７を参照して、架台10に上部を支持された昇降用シリンダ31が下方に垂設され、同上下方向に指向した昇降用シリンダ31からピストンロッド32が昇降自在に上方に突出している。
ピストンロッド32の上端部には傘状プレート33が中央を支持されて設けられており、傘状プレート33の外周端部に上部クランプリング34が、略円筒状をした加硫ブラダ５の上端開口縁部を気密に挟んで、上方から固着される。
【００２９】
一方、下サイドモールド２の中空開口端に嵌合された下部ビードリング12に下部クランプリング13が、加硫ブラダ５の下端開口縁部を気密に挟んで、上方から固着される。
このように、略円筒状をした加硫ブラダ５は、下端を下サイドモールド２に嵌合された下部ビードリング12に下部クランプリング13により挟まれて固定され、上端を上下に昇降する傘状プレート33に上部クランプリング34により挟まれて固着されるので、加硫ブラダ５は、固定された下端開口縁部に対して、ピストンロッド32の伸縮により傘状プレート33とともに上端開口縁部が上下に昇降する。
【００３０】
加硫ブラダ５の内部は気密に保たれ、下部ビードリング12と下部クランプリング13を貫通するガス通路14を介してシェーピングガスを加硫ブラダ５の内部に送給することができる。
したがって、ピストンロッド32を縮めて上端開口縁部を下降しながら加硫ブラダ５の内部にシェーピングガスを送給することで、加硫ブラダ５は、中心軸より遠心方向に膨張する。
【００３１】
生タイヤＴは、下側となったビード部Ｔｂを下サイドモールド２の中空開口端に嵌合された下部ビードリング12に載せて、略円筒状の加硫ブラダ５の外周囲に配置され、加硫ブラダ５が遠心方向に膨張して生タイヤＴの内側に入り込んで生タイヤＴの内面に圧接されて、生タイヤＴは装着される。
【００３２】
生タイヤＴを下サイドモールド２上に装着するために、生タイヤＴを保持して移動できるタイヤ把持装置50が設けられている。
図１を参照して、架台10の近傍の所定位置に支柱41が立設されており、同支柱41に基端を上下方向に摺動自在に嵌合した支持アーム42が遠心方向に延出している。
支持アーム42は支柱41に案内されて上下に昇降するとともに、支柱41を中心に旋回する。
【００３３】
支持アーム42の先端に鉛直支持棒43が鉛直方向に貫通して固着されており、この鉛直支持棒43にタイヤ把持装置50が吊設されている。
図２を参照して、鉛直支持棒43の支持アーム42より下方に突出した部分には、円盤状カムプレート51が回動自在に軸支されている。
円盤状カムプレート51は、下面に渦巻状のスパイラル溝51ｖが８本順次周方向に等間隔に形成されている（図４，図５参照）。
【００３４】
図２および図３に示されるように、円盤状カムプレート51を貫通した鉛直支持棒43の円盤状カムプレート51と支持アーム42との間には、リンクアーム52が基端部を一体に嵌着されて遠心方向に突設されており、このリンクアーム52の先端に回動用シリンダ53の基端部が連結ピン52ｐにより軸支され、回動用シリンダ53の伸縮するシリンダロッド53ｒの先端が円盤状カムプレート51の上面に突設されたピン54に軸支されている。
したがって、回動用シリンダ53の駆動によりシリンダロッド53ｒを伸縮することで、ピン54を介して円盤状カムプレート51が鉛直支持棒43を中心に回動する。
【００３５】
鉛直支持棒43の円盤状カムプレート51を貫通した下端部には、放射方向に延びる８本の案内バー55を、中心で集束してハブ部材56が片持ち保持している。
８本の案内バー55は、周方向に等間隔に配設されている。
各案内バー55には、矩形箱状のスライダ57が径方向に摺動自在に支持されている。
スライダ57の上面からは案内ピン58が立設され、上側を覆う円盤状カムプレート51の下面に形成されたスパイラル溝51ｖに、この案内ピン58が摺動自在に嵌合している。
【００３６】
したがって、回動用シリンダ53の駆動により円盤状カムプレート51が回動すると、回動する円盤状カムプレート51のスパイラル溝51ｖに摺動自在に嵌合した案内ピン58を介してスライダ57が案内バー55に案内されて径方向に移動する。
８個のスライダ57は、同時に径方向に移動して、常に同一の円周上にあるように設定されている。
【００３７】
各スライダ57から鉛直下方に短冊状のチャックパドル60が垂設されている。
各チャックパドル60は、常に同一の円周上にあるように配置される各スライダ57から下方に垂設されるので、８個のチャックパドル60は、同一仮想円筒上に円周方向に等間隔に配列される。
【００３８】
チャックパドル60は、図４および図５で示される下面視で円弧状に湾曲し、鉛直支持棒43の中心軸Ｃに内周面を向けて配列され、下端縁には遠心側に屈曲した係止爪61が形成されている。
また、チャックパドル60の外周面には、係止爪61より幾らか高い位置にビード規制板62が遠心方向に突出して形成されるとともに、鉛直方向に指向した補強リブ63が上方のスライダ57と下方のビード規制板62とを連結するように突設されてチャックパドル60を補強している。
【００３９】
このチャックパドル60の下部に円周方向両側にガイド片65ａ，65ｂが円弧状に湾曲して延出して形成されている（図４，図５参照）
ガイド片65ａ，65ｂは、弾性を有し、弾性変形することが可能である。
図４および図５を参照して、チャックパドル60の円周方向の一方の側に延出するガイド片65ａは、ガイド片65ａ側で隣合うチャックパドル60の円周方向の他方の側に延出するガイド片65ｂと内側（中心側）で常に重なり合う。
【００４０】
８個のチャックパドル60は、常に、同一仮想円筒上に円周方向に等間隔に配列されるので、各チャックパドル60の円周方向両側に延出するガイド片65ａ，65ｂが隣合うチャックパドル60のガイド片65ａ，65ｂに交互に重なり合って、８個のチャックパドル60とガイド片65ａ，65ｂが仮想円筒上にあって概ね円筒を構成する。
【００４１】
そして、回動用シリンダ53の駆動により円盤状カムプレート51が回動し、各スライダ57が案内バー55に案内されて径方向に移動すると、各スライダ57とともに各チャックパドル60が径方向に移動して、８個のチャックパドル60とガイド片65ａ，65ｂが配設される仮想円筒の径が拡大縮小する。
【００４２】
図５は、本タイヤ把持装置50において、チャックパドル60とガイド片65ａ，65ｂが配設される仮想円筒が最大径を構成するときの下面図である。
チャックパドル60から円弧状に湾曲して延出するガイド片65ａ，65ｂは、最大径を構成する仮想円筒の半径に略等しい曲率半径を有する。
【００４３】
したがって、最大径となる仮想円筒上にチャックパドル60が配設されたとき、図５に示されるように、チャックパドル60の円周方向の一方の側に延出するガイド片65ａは、ガイド片65ａ側で隣合うチャックパドル60の円周方向の他方の側に延出するガイド片65ｂと同じ曲率で概ね重畳部全体が互いに接するように重なり合う（図６の２点鎖線参照）。
【００４４】
仮想円筒が最大径から縮径するようにチャックパドル60が中心側に移動すると、図４に示されるように、チャックパドル60の円周方向の一方の側に延出するガイド片65ａの周方向先端部65aaが、ガイド片65ａ側で隣合うチャックパドル60の円周方向の他方の側に延出するガイド片65ｂの内周面に摺接して内側に押されてガイド片65ａが弾性変形している。
したがって、ガイド片65ａは弾性変形して、ガイド片65ａの周方向先端部65aaはガイド片65ｂの内面に滑らかに接している（図４参照）。
【００４５】
なお、仮想円筒が最大径から拡径するようにチャックパドル60が遠心方向に移動するようなことがあると、図６に主要部を拡大して実線で図示するように、チャックパドル60の円周方向の一方の側に延出するガイド片65ａの周方向先端近傍の外周面が、ガイド片65ａ側で隣合うチャックパドル60の円周方向の他方の側に延出するガイド片65ｂの周方向先端部65bbによって内側に押され、ガイド片65ａの周方向先端部65aaがガイド片65ｂの内周面から離れて内側に突出してしまい、後記する不具合が生じることになる。
【００４６】
したがって、本タイヤ装着機構においてタイヤ把持装置50が取り扱う生タイヤＴは、
ガイド片65ａ，65ｂが形成する円弧の曲率半径と略等しい半径の仮想円筒上に位置させた図５に示すチャックパドル60が把持する生タイヤＴのリム径が最大のリム径であり、この最大リム径より小さい各種リム径の生タイヤを、本タイヤ装着機構は取り扱うことができる。
【００４７】
以上のようなタイヤ把持装置50を用いて、最大リム径より小さいリム径の生タイヤＴを加硫成型機１に装着する工程を、図７ないし図９に従って説明する。
タイヤ把持装置50は、８個のチャックパドル60が水平に倒伏した姿勢の生タイヤＴの上側となったビード部Ｔｂを内側から径を拡大してチャックパドル60の下端の係止爪61で係止して把持した状態で、支持アーム42とともにタイヤ把持装置50全体が上昇することによりチャックパドル60の把持した生タイヤＴを持ち上げ、ブラダ作動装置30が傘状プレート33を上昇させて加硫ブラダ５を上方に円筒状に突出した状態にある下サイドモールド２の中心部の上方にタイヤ把持装置50を移動して、生タイヤＴの中心軸（鉛直支持棒43の中心軸Ｃ）を下サイドモールド２の中心に一致させる。
【００４８】
次いで、タイヤ把持装置50を生タイヤＴとともに下降させると、図７に示されるように、上方に円筒状に突出した加硫ブラダ５が生タイヤＴの上下のビード部Ｔｂの内側を貫通し、８個のチャックパドル60とガイド片65ａ，65ｂが配設される仮想円筒内に挿入された状態で、生タイヤＴの下側のビード部Ｔｂが下サイドモールド２の中空開口端の下部ビードリング12に当接して、生タイヤＴは円筒状の加硫ブラダ５の外周囲に配置される。
【００４９】
そして、ブラダ作動装置30が上部クランプリング34を傘状プレート33とともに下降すると同時に、円筒状の加硫ブラダ５の内側にガス通路14を介してシェーピングガスを送給し加硫ブラダ５を膨張させると、図８に示されるように、加硫ブラダ５は、生タイヤＴの上側のビード部Ｔｂの内周面に沿って生タイヤＴの内側に入り込むようにして遠心方向に膨張する。
【００５０】
生タイヤＴの上側のビード部Ｔｂを、８個のチャックパドル60が下端係止爪61に係止して内側から把持し、該ビード部Ｔｂの内周面は８個のチャックパドル60と交互に重なり合うガイド片65ａ，65ｂにより遮蔽されているので、加硫ブラダ５は、生タイヤＴの上側のビード部Ｔｂの内周面に直接触れることなくチャックパドル60と交互に重なり合うガイド片65ａ，65ｂに摺接して生タイヤＴの内側に膨張する。
したがって、生タイヤＴのビード部Ｔｂを構成する強度の弱い未加硫ゴムを、加硫ブラダ５が擦り剥ぎ取ってしまうような不具合は回避することができる。
【００５１】
また、加硫ブラダ５は、チャックパドル60と交互に重なり合うガイド片65ａ，65ｂに摺接して生タイヤＴの内側に膨張するが、８個のチャックパドル60が構成する仮想円筒の径は最大リム径または最大リム径より小さく、図４に示されるように、ガイド片65ａは弾性変形して、ガイド片65ａの周方向先端部65aaはガイド片65ｂの内面に滑らかに接しているので、ガイド片65ａの周方向先端部65aaが、膨張して摺接する加硫ブラダ５を傷つけることはない。
【００５２】
もし、この最大リム径より大きいリム径の生タイヤに適用しようとすると、ガイド片65ａ，65ｂが形成する円弧の曲率半径より大きい半径の仮想円筒上にチャックパドル60を位置させたとき、図６に示されるように、重なり合うガイド片65ａ，65ｂのうち中心側（内側）となるガイド片65ａの周方向先端部65aaが内側に突出することになり、このガイド片65ａの内側に突出した周方向先端部65aaが膨張して摺接する加硫ブラダ５を傷つける惧れがある。
よって、本タイヤ装着機構では、最大リム径より大きいリム径の生タイヤは取り扱わない。
【００５３】
加硫ブラダ５は、さらに膨張すると、生タイヤＴの内側に深く入り込んで、生タイヤＴの内面の略全面に接し圧接する（図９参照）。
そして、生タイヤＴの上側のビード部Ｔｂを把持していた８個のチャックパドル60を中心側に移動して８個のチャックパドル60が構成する仮想円筒を縮径して、生タイヤＴのビード部Ｔｂを放し、タイヤ把持装置50をチャックパドル60とともに上昇させると、図９に示す状態となり、生タイヤＴの加硫成型機１への装着が完了する。
【００５４】
以後は、タイヤ把持装置50を退避させた後に、図１に示す待機状態にある上サイドモールド３を押圧支持手段15とともに揺動して、生タイヤＴを支持した下サイドモールド２の上方に位置させて下降し、同時にトレッドモールド４を縮径して、生タイヤＴを型締めし、加熱して加硫成型することになる。
【００５５】
本タイヤ把持装置50は、チャックパドル60から円周方向一側に延出するガイド片65ａは、円周方向一側で隣合うチャックパドル60から円周方向他側に延出するガイド片65ｂと中心側で重なり合うので、チャックパドル60は全て仮想円筒上にあって同じ姿勢で配列することができ、同じ形状のものが使用でき、コストの低減を図ることができる。
【００５６】
チャックパドル60が径方向に移動することで、８個のチャックパドル60が形成する仮想円筒の外径が拡大縮小され、ガイド片65ａ，65ｂは弾性変形するので、回動する円盤状カムプレート51のスパイラル溝51ｖに摺動自在に嵌合した案内ピン58を介してスライダ57がチャックパドル60とともに案内バー55に案内されて、径方向に移動する部品点数の少ない簡単な構造で、ガイド片65ａが重なり合う相手方のガイド片65ｂに弾性変形しながら周方向先端部65aaを常に接することができ、ガイド片65ａの周方向先端部65aaが中心側（内側）で突出することがなく、加硫ブラダ５を傷つけることを回避することができる。
よって、部品点数の少ない簡単な構造のタイヤ把持装置50により加硫ブラダ５を傷つけることのないタイヤ把持装置50を、低コストで実現できる。
【００５７】
次に、別の実施の形態に係るタイヤ装着機構のタイヤ把持装置80について図１０ないし図１２に基づいて説明する。
タイヤ把持装置80以外の加硫成型機は、前記実施の形態と同じである。
【００５８】
図１０は、タイヤ把持装置80の主要部を斜め上方から視た斜視図であり、図１１は、タイヤ把持装置80の主要部を斜め下方から視た斜視図である。
固定円環状部材81とこれより一回り径の大きい回動円環状部材85が、中心軸Ｃを同じくして高さをずらして配置されている。
【００５９】
固定円環状部材81と回動円環状部材85は、上下の厚みが薄い帯状をなし、固定円環状部材81の外径が回動円環状部材85の内径に略等しい大小関係を有し、固定円環状部材81が回動円環状部材85より一段高い位置にある。
固定円環状部材81が上下左右移動するアーム（図示せず）等に吊設され、回動円環状部材85が固定円環状部材81に対して相対回動可能に支持される。
【００６０】
図１０を参照して、固定円環状部材81の一部が外周方向に延出して回動用シリンダ82を支持する延出支持部81ａをなし、固定円環状部材81の上面に突設された支持部材81ｂの水平部位81bbと延出支持部81ａとの間に回動用シリンダ82が支軸81ｃに軸支されて水平方向に揺動自在に設けられている。
【００６１】
固定円環状部材81に支持された回動用シリンダ82のシリンダロッド82ｒの先端が、他方の回動円環状部材85の上面に突設された突起83に軸支されている。
したがって、固定円環状部材81に支持された回動用シリンダ82がシリンダロッド82ｒを伸縮することで、突起83を介して回動円環状部材85を回動することができる。
【００６２】
固定円環状部材81に周方向等間隔に８本の支軸86が下方に突設されており、各支軸86に鈍角に屈曲したリンク部材87がその屈曲部を軸支されて、それぞれ固定円環状部材81の下方に揺動自在に設けられている。
リンク部材87の外周側に延出した外側アーム87ａは、回動円環状部材85の下面に沿って延び、外側アーム87ａの端部に形成された長孔87aaに回動円環状部材85から下方に突出したピン85ａが摺動自在に嵌合している。
【００６３】
リンク部材87の内周側に延出した内側アーム87ｂの先端部には、下方に突出した支軸87bbに矩形箱状のパドル支持部材88が軸支されて水平方向に回動自在に吊設されている。
各パドル支持部材88は、同じ形状のリンク部材87に支持されて、常に同一の円周上にあるように構成されている。
各パドル支持部材88から内側側面に沿って鉛直下方に短冊状のチャックパドル90が垂設される。
各チャックパドル90は、常に同一の円周上に配置される各パドル支持部材88から下方に垂設されるので、８個のチャックパドル90は、同一仮想円筒上に円周方向に等間隔に配列される。
【００６４】
したがって、回動用シリンダ82がシリンダロッド82ｒを伸縮すると、固定円環状部材81に対して回動円環状部材85が相対回動し、ピン85ａと長孔87aaの嵌合を介して各リンク部材87を揺動し、内側アーム87ｂの先端部に吊設されたパドル支持部材88をチャックパドル90とともに揺動して、チャックパドル90を中心側に移動したり遠心側に移動したりして、８個のチャックパドル90が構成する仮想円筒の径を拡大縮小することができる。
【００６５】
チャックパドル90は、下面視で円弧状に湾曲し、下端縁には遠心側に屈曲した係止爪91が形成されている。
また、チャックパドル90の外周面には、係止爪91より幾らか高い位置にビード規制板92が遠心方向に突出して形成されている。
【００６６】
このチャックパドル90の下部に円周方向両側にガイド片95ａ，95ｂが円弧状に湾曲して延出して形成されている。
チャックパドル90とガイド片95ａ，95ｂは曲率を同じくして同一の内周面を形成する。
本実施の形態におけるガイド片95ａ，95ｂは、必ずしも弾性変形できる必要はない。
【００６７】
８個のチャックパドル90をそれぞれ支持する８個のパドル支持部材88を外側から締め付けるように環状スプリング部材97が嵌め込まれている。
環状スプリング部材97は、長尺のコイルスプリングを環状に連結したものであり、円環状にしたときの径は、コイルスプリング自体を伸長して拡大することができ、拡径した環状スプリング部材97を８個のパドル支持部材88を内側にして外側から嵌めて外側から締め付けるようにする。
【００６８】
パドル支持部材88は、リンク部材87の内側アーム87ｂの先端部に回動自在に吊設されているので、パドル支持部材88から垂設されたチャックパドル90およびガイド片95ａ，95ｂが向く方向は自由であるが、環状スプリング部材97によるパドル支持部材88の締め付けによりチャックパドル90が常に仮想円筒の中心軸Ｃに向くように付勢するようにする。
【００６９】
こうして環状に配置された８個のチャックパドル90は、各チャックパドル90の円周方向の一方の側に延出するガイド片95ａは、ガイド片95ａ側で隣合うチャックパドル60の円周方向の他方の側に延出するガイド片95ｂと内側（中心側）で常に重なり合うように順次配列する。
【００７０】
図１２は、本タイヤ把持装置80を下方から視たときのチャックパドル90とガイド片95ａ，95ｂのみを示した下面図であり、８個のチャックパドル90が構成する仮想円筒が最大径となるときのチャックパドル90とガイド片95ａを実線で示している。
チャックパドル90から円弧状に湾曲して延出するガイド片95ａ，95ｂは、この最大径を構成する仮想円筒の半径に略等しい曲率半径を有する。
【００７１】
ガイド片95ａ，95ｂの内周面が８個のチャックパドル90の配置される仮想円筒の中心軸Ｃに向いたときの該チャックパドル60の姿勢を基本姿勢とすると、チャックパドル90が、隣合うチャックパドル60とガイド片95ａ，95ｂが重ならず互いに力を及ぼさない状態を想定したとき、環状スプリング部材97により付勢力を受けてチャックパドル90は正確に中心軸Cに向き、ガイド片95ａ，95ｂの円弧面の中心は中心軸Ｃに一致する基本姿勢にある。
【００７２】
実際は、チャックパドル90は、隣合うチャックパドル60とガイド片95ａ，95ｂが重なり合うので、各チャックパドル90は、中心軸Cに正確に向いた基本姿勢から傾くことになる。
よって、各チャックパドル90には、環状スプリング部材97により中心軸Cに正確に向くように、すなわち基本姿勢になるように付勢力が働いている。
【００７３】
したがって、この付勢力が働くために、チャックパドル90の円周方向の一方の側に延出するガイド片95ａは、ガイド片95ａ側で隣合うチャックパドル60の円周方向の他方の側に延出するガイド片95ｂに内側から押圧するように重なる。
最大径の仮想円筒上にチャックパドル60があるときは、ガイド片95ａは、ガイド片95ｂに重畳部で略全面で接するように重なっている（図１２の実線参照）。
【００７４】
仮想円筒が最大径から縮径するようにチャックパドル90が中心側に移動すると、図１２において、２点鎖線で示すように、チャックパドル90の円周方向の一方の側に延出するガイド片95ａの周方向先端部95aaが、ガイド片95ａ側で隣合うチャックパドル90の円周方向の他方の側に延出するガイド片95ｂの内周面に摺接するように、チャックパドル90の姿勢が大きく傾き、環状スプリング部材97により中心軸Cにチャックパドル90を向けようとする（基本姿勢に戻そうとする）付勢力が大きく働き、ガイド片95ａの周方向先端部95aaをガイド片95ｂの内周面に圧接することになる。
よって、ガイド片65ａの周方向先端部65aaはガイド片65ｂの内面に滑らかに接する状態を維持することができる。
【００７５】
生タイヤＴの上側のビード部Ｔｂを、８個のチャックパドル90が下端係止爪91に係止して内側から把持し、該ビード部Ｔｂの内周面は８個のチャックパドル90と交互に重なり合うガイド片95ａ，95ｂにより遮蔽されているので、加硫ブラダ５は、生タイヤＴの上側のビード部Ｔｂの内周面に直接触れることなくチャックパドル90と交互に重なり合うガイド片95ａ，95ｂに摺接して生タイヤＴの内側に膨張する。
したがって、生タイヤＴのビード部Ｔｂを構成する強度の弱い未加硫ゴムを、加硫ブラダ５が擦り剥ぎ取ってしまうような不具合は回避することができる。
【００７６】
そして、８個のチャックパドル90をパドル支持部材88を介して外側から締め付ける環状スプリング部材97は、チャックパドル90の移動に合わせて径を拡縮しながら各チャックパドル90を常に中心軸Cに向く基本姿勢に戻そうとする付勢力を作用させるので、少ない部品点数の簡単な構造で、環状スプリング部材97の付勢力により重なり合うガイド片95ａ，95ｂのうち中心側となるガイド片95ａの周方向先端部95aaが遠心側となるガイド片95ｂに常に接するようにすることができる。
よって、ガイド片95ａの周方向先端部95aaが中心側（内側）で突出することがなく、加硫ブラダ５を傷つけることもないタイヤ装着機構を低コストで実現できる。
【００７７】
本実施の形態のタイヤ装着機構は、前記実施の形態と同様に、仮想円筒が最大径から拡径するようにチャックパドル90が遠心方向に移動するようなことがあると、チャックパドル90の円周方向の一方の側に延出するガイド片95ａの周方向先端近傍の外周面が、ガイド片95ａ側で隣合うチャックパドル90の円周方向の他方の側に延出するガイド片95ｂの周方向先端部95bbによって内側に押され、ガイド片95ａの周方向先端部95aaがガイド片65ｂの内周面から離れて内側に突出してしまうため、このガイド片95ａの内側に突出した周方向先端部95aaが、膨張して摺接する加硫ブラダ５を傷つける惧れがある。
よって、本タイヤ装着機構では、最大リム径より大きいリム径の生タイヤは取り扱わない。
【００７８】
以上、本発明に係る２つの実施形態のタイヤ装着機構につき説明したが、本発明の態様は、上記実施形態に限定されず、本発明の要旨の範囲で、多様な態様で実施されるものを含むものである。
例えば、生タイヤには、加硫前の更生タイヤも含まれる。
【符号の説明】
【００７９】
１…加硫成型機、２…下サイドモールド、３…上サイドモールド、４…トレッドモールド、５…加硫ブラダ、
10…架台、11…下プラテン、12…下部ビードリング、13…下部クランプリン、14…ガス通路、15…押圧支持手段、16…支持台、20…円盤、21…上プラテン、22…上部ビードリング、23…円筒壁、24…モールド保持部材、
30…ブラダ作動装置、31…昇降用シリンダ、32…ピストンロッド、33…傘状プレート、34…上部クランプリング、41…支柱、42…支持アーム、43…鉛直支持棒、
50…タイヤ把持装置、51…円盤状カムプレート、52…リンクアーム、53…回動用シリンダ、54…ピン、55…案内バー、56…ハブ部材、57…スライダ、58…案内ピン、60…チャックパドル、61…係止爪、62…ビード規制板、63…補強リブ、65ａ，65ｂ…ガイド片、
80…タイヤ把持装置、81…固定円環状部材、82…回動用シリンダ、83…突起、85…回動円環状部材、86…支軸、87…リンク部材、88…パドル支持部材、
90…チャックパドル、91…係止爪、92…ビード規制板、95ａ，95ｂ…ガイド片、97…環状スプリング部材。
【図１】
0006372035.tif 000002
【図２】
0006372035.tif 000003
【図３】
0006372035.tif 000004
【図４】
0006372035.tif 000005
【図５】
0006372035.tif 000006
【図６】
0006372035.tif 000007
【図７】
0006372035.tif 000008
【図８】
0006372035.tif 000009
【図９】
0006372035.tif 000010
【図１０】
0006372035.tif 000011
【図１１】
0006372035.tif 000012
【図１２】
0006372035.tif 000013